【事件の表示】
　平成　７年特許願第１５７３４３号「印刷装置および印刷方法」拒絶査定不服審判事件〔平成　９年　１月１０日出願公開、特開平　９−　　６５５１〕について、次のとおり審決する。
【結　論】
　本件審判の請求は、成り立たない。
【理　由】
第１．手続の経緯 
　本願は、平成７年６月２３日の出願であって、平成１５年１０月１０日付けの最後の拒絶理由の通知に対して、その指定された期間内の同年１２月１５日付けで意見書及び補正書が提出されたが、平成１６年３月１５日付けで最後の拒絶理由の通知がなされ、その指定された期間内の同年５月２４日付けで手続補正がなされたが、平成１６年８月９日付補正の却下の決定により当該補正は却下され、同日付で拒絶査定がなされ、これに対して、同年９月１６日に拒絶査定に対する審判請求がなされるとともに、同年１０月１４日付けで手続補正がなされたものである。
 　 
第２．平成１６年１０月１４日付けの手続補正について 
　
　［結論］平成１６年１０月１４日付けの手続補正（以下、「本件補正」という。）を却下する。
　その理由は以下のとおり。
　
  ［理由］ 
　
　本件補正により、特許請求の範囲の請求項１は、
「【請求項１】情報処理装置と通信可能であって、不揮発性記憶手段を具備した印刷装置において、
　前記情報処理装置から送信される情報をパスワードと関連付けて前記不揮発性記憶手段に登録する登録手段と、
　前記情報処理装置から送信される情報と、該情報と関連付けて登録されるパスワードを該情報処理装置から受信する第１の受信手段と、
　前記第１の受信手段で受信したパスワードが、前記不揮発性記憶手段に既に登録されているかを判断するパスワード判定手段と、
　前記パスワード判定手段によって既に登録されていると判定された場合、前記パスワードとは別のパスワードを前記情報処理装置に要求する手段と、
　前記情報処理装置から送信される、前記不揮発性記憶手段に登録されている情報を読み込む指示がある印刷データとパスワードを受信する第２の受信手段と、
　前記第２の受信手段において受信したパスワードが前記不揮発性記憶手段において前記情報と関連付けて登録されているパスワードと一致するかを判定する判定手段と、
を有し、
　前記第２の受信手段において受信したパスワードが前記不揮発性記憶手段において前記情報と関連付けて登録されているパスワードと一致すると判定された場合、該パスワードと関連付けて登録されている情報を読み込んで前記印刷データの印刷処理を実行し、
　前記第２の受信手段において受信したパスワードが前記不揮発性記憶手段において前記情報と関連付けて登録されているパスワードと一致しないと判定された場合、前記不揮発性記憶手段に登録された情報を読み込まずに前記印刷データの印刷処理を実行することを特徴とする印刷装置。」
と補正された。
　
　この補正は、特許請求の範囲の請求項１において、（ａ）「前記情報処理装置から送信される前記不揮発性記憶手段に登録されている情報を読み込む指示がある印刷データを受信する受信手段」を、「前記情報処理装置から送信される、前記不揮発性記憶手段に登録されている情報を読み込む指示がある印刷データとパスワードを受信する第２の受信手段」と補正し、（ｂ）「前記情報処理装置から入力されるパスワードが前記不揮発性記憶手段に登録されているパスワードと一致するかを判定する判定手段」を、「前記第２の受信手段において受信したパスワードが前記不揮発性記憶手段において前記情報と関連付けて登録されているパスワードと一致するかを判定する判定手段」と補正し、（ｃ）「前記情報処理装置から送信される情報と、該情報と関連付けて登録されるパスワードを該情報処理装置から受信する第１の受信手段と、前記第１の受信手段で受信したパスワードが、前記不揮発性記憶手段に既に登録されているかを判断するパスワード判定手段と、前記パスワード判定手段によって既に登録されていると判定された場合、前記パスワードとは別のパスワードを前記情報処理装置に要求する手段」を追加するものである。
　前記（ｃ）の点について、上記追加された事項は、補正前の請求項１の「印刷装置」の発明特定事項である「情報処理装置と通信可能であって、不揮発性記憶手段を具備した印刷装置」、「情報処理装置から送信される情報をパスワードと関連付けて不揮発性記憶手段に登録する登録手段」、「情報処理装置から送信される不揮発性記憶手段に登録されている情報を読み込む指示がある印刷データを受信する受信手段」、「情報処理装置から入力されるパスワードが不揮発性記憶手段に登録されているパスワードと一致するかを判定する判定手段」、「情報処理装置から入力されるパスワードが不揮発性記憶手段に登録されているパスワードと一致すると判定された場合、該パスワードと関連付けて登録されている情報を読み込んで印刷データの印刷処理を実行」すること、「情報処理装置から入力されるパスワードが不揮発性記憶手段に登録されているパスワードと一致しないと判定された場合、不揮発性記憶手段に登録された情報を読み込まずに印刷データの印刷処理を実行すること」のいずれかの構成を概念的により下位に限定するものではないから、上記事項を追加するということは、実質的には、補正前の請求項１の「印刷装置」に、「情報処理装置から送信される情報と、該情報と関連付けて登録されるパスワードを該情報処理装置から受信する第１の受信手段と、第１の受信手段で受信したパスワードが、不揮発性記憶手段に既に登録されているかを判断するパスワード判定手段と、パスワード判定手段によって既に登録されていると判定された場合、パスワードとは別のパスワードを情報処理装置に要求する手段」を追加するものである。
　そうすると、上記追加された事項を含む本件補正は、補正前の請求項１に記載した発明を特定するために必要な事項を限定するものではなく、また、誤記の訂正、明瞭でない記載の釈明のいずれにも該当するものではないから、本件補正は、特許法第１７条の２第４項の規定に違反するものである。
　また、前記（ｃ）の点について、本願出願当初の明細書には「ＩＤの再指定を上位位置に指示」することのみが記載され、「前記パスワードとは別のパスワードを前記情報処理装置に要求する手段」については何ら記載されてなく、また、当初明細書等の記載から自明な事項ともいえないから、本件補正は願書に最初に添付した明細書、特許請求の範囲又は図面に記載した事項の範囲内においてしたものとはいえず、特許法第１７条の２第３項の規定にも違反するものである。
　したがつて、本件補正は、特許法第１７条の２第３項及び第４項の規定に違反するものであり、特許法第１５９条第１項で準用する同法第５３条第１項の規定により却下すべきものである。
　
第３．本願発明について 
　
１．本願発明
　平成１６年１０月１４付けの手続補正は上記のとおり却下されたので、本願の請求項１に係る発明（以下、「本願発明」という。）は、平成１５年１２月１５日付けの手続補正書の請求項１に記載された事項により特定される、以下のとおりのものである。 
　
「【請求項１】情報処理装置と通信可能であって、不揮発性記憶手段を具備した印刷装置において、
　前記情報処理装置から送信される情報をパスワードと関連付けて前記不揮発性記憶手段に登録する登録手段と、
　前記情報処理装置から送信される前記不揮発性記憶手段に登録されている情報を読み込む指示がある印刷データを受信する受信手段と、
　前記情報処理装置から入力されるパスワードが前記不揮発性記憶手段に登録されているパスワードと一致するかを判定する判定手段と、
　を有し、前記情報処理装置から入力されるパスワードが前記不揮発性記憶手段に登録されているパスワードと一致すると判定された場合、該パスワードと関連付けて登録されている情報を読み込んで前記印刷データの印刷処理を実行し、
　前記情報処理装置から入力されるパスワードが前記不揮発性記憶手段に登録されているパスワードと一致しないと判定された場合、前記不揮発性記憶手段に登録された情報を読み込まずに前記印刷データの印刷処理を実行することを特徴とする印刷装置。」
　
２．刊行物の記載
　
　刊行物１記載発明 
　原査定の拒絶の理由（平成１６年３月１５日付け拒絶理由通知書）に引用された特開平５−２２１０７２号公報（平成５年８月３１日出願公開。以下、「刊行物１」という。）には、印刷装置に関して、図面と共に、以下の事項が記載されている。
　
【０００６】本発明は上述の問題点に鑑みてなされたものであり、ユーザが印刷装置を使用するときに所望の印刷環境を直ちに実現できることを可能とし、印刷装置の設定変更時の煩雑さを解消することを目的とする。また、パスコードを登録することにより、承認印や重要書類のフォームの登録を可能とするものである。
　
【００１７】図２は実施例１によるレーザビームプリンタのブロック構成図である。図中、１はレーザビームプリンタ本体で、実際に画像の印刷を行なう印刷部２と、この印刷部２を制御する主制御部３とから構成されている。
【００１８】主制御部３において、４は装置全体の制御を司るＣＰＵである。５は主記憶部であり、読みだし専用メモリ（ＲＯＭ）を備え、ＣＰＵ４の動作処理手順（プログラム）及び文字パターン情報等が格納されている。６は増設記憶部であり、例えば、ハードディスクドライブ等の書き換え可能な大容量メモリにより構成されており、エミュレーションプログラムや文字パターン情報の追加書き込みが可能である。更に、増設記憶部６は、ユーザによる取り付け、取りはずしが可能となっている。７は受信バッファであり、受信データを一時的に記憶する。８はイメージジェネレータであり、描画するイメージデータを生成する。９はビットマップメモリであり、イメージデータのビットマップデータを展開する。１０はシフトレジスタであり、パラレルデータをシリアルデータに変換して、ビデオ信号として印刷部２へ出力するためのものである。
【００１９】上述の構成において、外部のホストコンピュータ１１から出力されてきた印刷データは、主制御部３内の受信バッファ７に蓄積される。ＣＰＵ４は受信バッファ７内の印刷データを順次解析し、主記憶部５に格納された文字等の画素単位情報を用いて、イメージジェネレータ８にて印刷イメージの画素単位情報を作り、１ページ分のイメージデータとして、ビットマップメモリ９に展開する。そして、そのイメージデータを順次シフトレジスタ１０へ転送し、ビデオ信号を生成して、印刷部２へ出力する。印刷部２は入力したビデオ信号に応じてレーザ光１０４をＯＮ／ＯＦＦさせながら静電ドラム１０６上に静電潜像を生成させる。
【００２０】図３は増設記憶部６に格納するデータの構造を示す図である。増設記憶部６は主制御部３が有する主記憶部５におけるＲＡＭやＲＯＭ等の記憶素子の不足分を補うために使用される。具体的には、増設記憶部６は以下のような領域を備えている。
【００２１】・エミュレーションプログラムの追加，確保を行うためのエミュレーション領域１３、
・汎用オーバレイフォームの追加，確保を行なう汎用オーバレイフォーム領域１４、
・汎用文字フォントパターンの追加，確保を行なう汎用フォント領域１５、
・予備の受信バッファである受信バッファ領域１６、
・ユーザ個別の印刷環境情報を追加，確保するユーザ別情報登録領域１７。
【００２２】さらに、ユーザ別情報登録領域１７は、ユーザＩＤ１８，専用フォント登録領域１９，専用フォーム登録領域２０，印刷環境情報登録領域２１を備えている。ユーザＩＤ１８は、どのユーザの情報であるかを識別するためのものである。専用フォント登録領域１９，専用フォーム登録領域２０には、ユーザが専用に使用するフォントやフォーム（例えば、印鑑や署名付のもの）を登録できる。印刷環境情報登録領域２１は汎用文字フォント，汎用フォーム，エミュレーションプログラム等を指定するための、ユーザ個別の印刷環境情報を記憶する領域である。
【００２３】次に、上記構成における一連の動作処理を説明する。
【００２４】図４は本レーザビームプリンタ１による印刷環境設定動作を表すフローチャートである。
【００２５】レーザビームプリンタ１に接続された複数のホストコンピュータ１１より印刷データを送信する場合、まずあらかじめ登録されたユーザＩＤをレーザビームプリンタ１へ送信する。ステップＳ１にてＣＰＵ４がユーザＩＤを受信するとステップＳ２へ進む。ここで、ＣＰＵ４は、増設記憶部６内のユーザ別情報登録領域１７を検索し、受信したユーザＩＤに該当するユーザ別の印刷環境設定情報を見つけだす。そしてステップＳ３へ進み、ステップＳ２にて見つけだされた印刷環境設定情報を参照して、主記憶部５内や増設記憶部６内に保管されているエミュレーションプログラム，文字フォント，フォームデータ等をダウンロードする。次に、ステップＳ４において、レーザビームプリンタ１の印刷環境を設定する。しかる後に、ステップＳ５においてレーザビームプリンタ１がホストコンピュータからの印刷データを受信すると、ステップＳ６にて主制御部３は所定のプログラムにより、ビデオデータを印刷部２へ出力する。
【００２６】また、各ユーザは毎回同じ印刷環境の下でのみしか印刷できない訳でなく、ホストからユーザＩＤを送信しなければ処理はステップＳ１からステップＳ５へ進み、レーザビームプリンタは現状の印刷環境に従って動作するようになる。
【００２７】また、ユーザが印刷環境情報を追加，書き換えを実行する場合は、ホストコンピュータにより、ユーザＩＤを指定し、印刷環境設定情報をセーブする機能のコマンドを送信することにより、追加，書き換えを実行する。
【００２８】＜実施例２＞図５は実施例２によるレーザビームプリンタのブロック構成図である。実施例１で示したものと同じ機能のものには同一符号を付してあり、その説明については省略する。図５において、２２はレーザビームプリンタに実装されている操作部であり、ユーザ別情報１７における各種情報の入力を含む種々の情報入力が可能なものである。
【００２９】図６は第２の実施例における増設記憶部６内の格納情報内容である。第１実施例で示したものと同一機能を有するものには同一符号を付しており、それらの説明は省略する。図６において、３０はユーザ別情報登録領域であり、ユーザＩＤ１８，専用フォント登録領域１９，専用フォーム登録領域２０，印刷環境情報登録領域２１，パスコード情報２３を備えている。パスコード情報２３においてパスコードが設定されると、パスコードを設定したユーザのみが増設記憶部６内のユーザ別情報１７を操作することが可能となる。　
　
【００３７】
【発明の効果】以上説明したように本発明によれば、ユーザが印刷装置を使用する際に所望の印刷環境への設定が可能となり、印刷装置の設定変更時の繁雑さを解消するものである。
　
　これらの記載によれば、刊行物１には、次の発明（以下、「刊行物１記載発明」という。）が記載されているものと認められる。 
　
　「ホストコンピュータ１１から出力されてきた印刷データを、主制御部３内の受信バッファ７に蓄積し、エミュレーションプログラムや文字パターン情報の追加書き込みが可能であるハードディスクドライブ等により構成された増設記憶部６を具備したレーザビームプリンタ本体１において、
　増設記憶部６内の格納情報内容として、ユーザ別情報登録領域１７に、ユーザＩＤ１８、専用フォント登録領域１９、専用フォーム登録領域２０、印刷環境情報登録領域２１、パスコード情報２３が関連付けて格納され、パスコード情報２３においてパスコードが設定されると、パスコードを設定したユーザのみが増設記憶部６内のユーザ別情報１７を操作することが可能となり、
　ユーザが印刷環境情報を追加、書き換えを実行する場合は、ホストコンピュータにより、ユーザＩＤを指定し、印刷環境設定情報をセーブする機能のコマンドを送信することにより、追加、書き換えを実行し、
　レーザビームプリンタ１に接続された複数のホストコンピュータ１１より印刷データを送信する場合、まずあらかじめ登録されたユーザＩＤをレーザビームプリンタ１へ送信し、ＣＰＵ４がユーザＩＤを受信すると、ＣＰＵ４は、増設記憶部６内のユーザ別情報登録領域１７を検索し、受信したユーザＩＤに該当するユーザ別の印刷環境設定情報を見つけだし、見つけだされた印刷環境設定情報を参照して、増設記憶部６内に保管されているエミュレーションプログラム、文字フォント、フォームデータ等をダウンロードし、レーザビームプリンタ１の印刷環境を設定し、または、ホストからユーザＩＤを送信しなければ、レーザビームプリンタ１は現状の印刷環境に従い、しかる後に、レーザビームプリンタ１がホストコンピュータからの印刷データを受信すると、主制御部３は、ビデオデータを印刷部２へ出力する、レーザビームプリンタ本体１」
　
　刊行物２記載発明 
　同じく原査定の拒絶の理由（平成１６年３月１５日付け拒絶理由通知書）に引用された特開平７−９８６３７号公報（平成７年４月１１日出願公開。以下、「刊行物２」という。）には、プリンタ印刷装置に関して、図面と共に、以下の事項が記載されている。
　
【００１１】ネットワークインターフェース１１は、ネットワーク１９に接続されているコンピュータ１８上で動作する画像作成プログラムとの間で画像データやコマンドなどのやりとりを行う。
【００１２】データコンバータ１２は、ネットワークインターフェース１１から画像データを受け取り、この画像データが他のプリント言語による画像データであった場合は、これを自プリント言語の画像データに変換して付加手段１５に渡す。
【００１３】登録手段１３は、当該プリンタを利用する利用者のユーザ名または利用者の使用しているコンピュータのネットワークアドレスと、その利用者が使用するプリントの処理属性とを関係付けて保持手段１４に登録する。処理属性とは、片面印刷にするか両面印刷か、カラーか白黒か、フォーム合成を行うか否かなどのプリント時の属性を示すもので、以下、この実施例では付加画像データという。
【００１４】保持手段１４は、利用者のユーザ名または利用者の使用しているコンピュータのネットワークアドレスと、その付加画像データとを関係付けて保持する。
【００１５】付加手段１５は、利用者が当該プリンタに画像データを送信して出力要求を行った場合に、画像データに付加されている出力要求元のユーザ名またはコンピュータのネットワークアドレスを参照し、利用者のユーザ名またはコンピュータのネットワークアドレスと関係付けて登録された付加画像データを保持手段１４から抽出し、前記画像データとともに画像出力部１７に出力する。
　
【００２４】上記保持手段１４を実現している固定ディスクのファイル構造を図４に示す。固定ディスクには、管理ファイル２１と付加画像データファイル２２が含まれている。管理ファイル２１は表形式になっており、ユーザ名またはネットワークアドレス２３と、それらに関係付けられた付加画像データが含まれる付加画像データファイル２４の名前とを、エントリとして保持している。付加画像データファイル２２には、各利用者毎の実際の付加画像データが入っている。
【００２５】次に、図１のプリンタ１０において、ネットワークを通じて画像データの出力要求を受信した場合の処理手順を図５のフローチャートを用いて説明する。
【００２６】ネットワークインターフェース１１で画像データ出力要求を受信すると（ステップ２０１）、付加手段１５は受け取った出力要求情報の中からユーザ名またはコンピュータのネットワークアドレスを抽出する。そして、そのユーザ名を保持手段１４の管理ファイル内で検索し（ステップ２０２）、エントリを発見できたかどうかを判定する（ステップ２０３）。ここで、ユーザ名を含むエントリが発見できなければ、ネットワークアドレスを管理ファイル内で検索し（ステップ２０４）、エントリを発見できたかどうかを判定する（ステップ２０５）。もし、ネットワークアドレスを含むエントリも発見できなかった場合は、ネットワークインターフェース１１から受け取った画像データをそのまま画像出力部１７に送信する（ステップ２０６）。
　
　これらの記載によれば、刊行物２には、次の発明（以下、「刊行物２記載発明」という。）が記載されているものと認められる。 
　
　「保持手段１４に、プリンタを利用する利用者のユーザ名と、その利用者が使用するプリントの処理属性とを関係付けて保持し、保持手段１４を実現している固定ディスクのファイル構造は、管理ファイル２１と付加画像データファイル２２が含まれ、管理ファイル２１は表形式になっており、ユーザ名またはネットワークアドレス２３と、それらに関係付けられたプリントの処理属性が含まれる付加画像データファイル２４の名前とを、エントリとして保持しており、利用者が当該プリンタに画像データを送信して出力要求を行った場合に、ネットワークインターフェース１１で画像データ出力要求を受信すると、付加手段１５は受け取った出力要求情報の中からユーザ名またはコンピュータのネットワークアドレスを抽出し、そのユーザ名とネットワークアドレスとを保持手段１４の管理ファイル内で検索し、エントリを発見できたかどうかを判定して、ユーザ名を含むエントリも、ネットワークアドレスを含むエントリも発見できなかった場合は、ネットワークインターフェース１１から受け取った画像データをそのまま画像出力部１７に送信するプリンタ。」
　
３．対比
　
　本願発明と刊行物１記載発明とを比較すると、刊行物１記載発明の「ホストコンピュータ１１」、「ハードディスクドライブ等により構成された増設記憶部６」、「レーザビームプリンタ本体１」のそれぞれは、本願発明の「情報処理装置」、「不揮発性記憶手段」、「印刷装置」のそれぞれに相当する。
　
　また、刊行物１記載発明の「ユーザＩＤ１８」は、ユーザがユーザＩＤを指定し、印刷環境設定情報をセーブする機能のコマンドを送信したり、受信したユーザＩＤに該当するユーザ別の印刷環境設定情報を見つけだしたりするものであり、また、「パスコード情報２３」は、パスコードを設定したユーザのみが増設記憶部６内のユーザ別情報１７を操作することが可能とするものである。そして、本願発明の「パスワード」は、明細書の記載「ステップ（４）で、そのデータに付随しているパスワード等のＩＤがすでに使われているものか否かを判断し、すでに存在しているＩＤであったと判断した場合は、ステップ（１１）でＩＤの再指定を上位位置に指示してこの処理を抜ける。」（段落【００６６】）によれば、「ＩＤ」であるから、結局、刊行物１記載発明の「ユーザＩＤ１８」、「パスコード情報２３」は、本願発明の「パスワード」に相当する。
　
　また、刊行物１記載発明は、ユーザが印刷環境情報を追加、書き換えを実行する場合は、ホストコンピュータにより、ユーザＩＤを指定し、印刷環境設定情報をセーブする機能のコマンドを送信することにより、追加、書き換えを実行するから、本願発明の「情報処理装置から送信される情報をパスワードと関連付けて前記不揮発性記憶手段に登録する登録手段」を備えている。
　
　また、刊行物１記載発明は、レーザビームプリンタ１に接続された複数のホストコンピュータ１１より印刷データを送信する場合、まずあらかじめ登録されたユーザＩＤをレーザビームプリンタ１へ送信し、ＣＰＵ４がユーザＩＤを受信すると、ＣＰＵ４は、増設記憶部６内のユーザ別情報登録領域１７を検索し、受信したユーザＩＤに該当するユーザ別の印刷環境設定情報を見つけだし、見つけだされた印刷環境設定情報を参照して、増設記憶部６内に保管されているエミュレーションプログラム、文字フォント、フォームデータ等をダウンロードし、レーザビームプリンタ１の印刷環境を設定し、しかる後に、レーザビームプリンタ１がホストコンピュータからの印刷データを受信すると、主制御部３は、ビデオデータを印刷部２へ出力するから、本願発明の「情報処理装置から送信される不揮発性記憶手段に登録されている情報を読み込む指示がある印刷データを受信する受信手段」を備えている。
　
　また、刊行物１記載発明は、ＣＰＵ４がユーザＩＤを受信すると、ＣＰＵ４は、増設記憶部６内のユーザ別情報登録領域１７を検索し、受信したユーザＩＤに該当するユーザ別の印刷環境設定情報を見つけだすから、本願発明の「情報処理装置から入力されるパスワードが不揮発性記憶手段に登録されているパスワードと一致するかを判定する判定手段」を備えている。
　また、刊行物１記載発明は、受信したユーザＩＤに該当するユーザ別の印刷環境設定情報を見つけだし、見つけだされた印刷環境設定情報を参照して、増設記憶部６内に保管されているエミュレーションプログラム、文字フォント、フォームデータ等をダウンロードし、レーザビームプリンタ１の印刷環境を設定して、しかる後に、レーザビームプリンタ１がホストコンピュータからの印刷データを受信すると、主制御部３は、ビデオデータを印刷部２へ出力するから、本願発明の「情報処理装置から入力されるパスワードが前記不揮発性記憶手段に登録されているパスワードと一致すると判定された場合、該パスワードと関連付けて登録されている情報を読み込んで前記印刷データの印刷処理を実行」する構成を備えている。
　
　したがって、両者の発明の一致点、相違点は以下のとおりである。
　
［一致点］　
「情報処理装置と通信可能であって、不揮発性記憶手段を具備した印刷装置において、
　前記情報処理装置から送信される情報をパスワードと関連付けて前記不揮発性記憶手段に登録する登録手段と、
　前記情報処理装置から送信される前記不揮発性記憶手段に登録されている情報を読み込む指示がある印刷データを受信する受信手段と、
　前記情報処理装置から入力されるパスワードが前記不揮発性記憶手段に登録されているパスワードと一致するかを判定する判定手段と、
　を有し、前記情報処理装置から入力されるパスワードが前記不揮発性記憶手段に登録されているパスワードと一致すると判定された場合、該パスワードに関連付けて登録されている情報を読み込んで前記印刷データの印刷処理を実行する印刷装置」である点。
　
［相違点］　
　本願発明においては、情報処理装置から入力されるパスワードが不揮発性記憶手段に登録されているパスワードと一致しないと判定された場合、前記不揮発性記憶手段に登録された情報を読み込まずに印刷データの印刷処理を実行するのに対して、刊行物１記載発明では、ホストからパスワード（ユーザＩＤ）を送信しなければ、印刷装置（レーザビームプリンタ１）は現状の印刷環境に従うが、パスワードが一致しない場合についての記載がない点。
　
４．判断　
　
　刊行物２記載発明の、「保持手段１４」、「ユーザ名」、「プリントの処理属性」は、それぞれ本願発明の「不揮発性記憶手段」、「パスワード」、「情報」に相当し、刊行物２記載発明の「エントリ」は、ユーザ名またはネットワークアドレス２３と、プリントの処理属性が含まれる付加画像データファイル２４の名前を関係付けたものであるから、刊行物２記載発明において、「利用者が当該プリンタに画像データを送信して出力要求を行った場合に、ネットワークインターフェース１１で画像データ出力要求を受信すると、付加手段１５は受け取った出力要求情報の中からユーザ名またはコンピュータのネットワークアドレスを抽出し、そのユーザ名とネットワークアドレスとを保持手段１４の管理ファイル内で検索し、エントリを発見できたかどうかを判定して、ユーザ名を含むエントリも、ネットワークアドレスを含むエントリも発見できなかった場合は、ネットワークインターフェース１１から受け取った画像データをそのまま画像出力部１７に送信する」ことは、本願発明の「情報処理装置から入力されるパスワードが不揮発性記憶手段に登録されているパスワードと一致しないと判定された場合、前記不揮発性記憶手段に登録された情報を読み込まずに印刷データの印刷処理を実行する」ことに相当する。
　
　そうすると、刊行物１記載発明において、刊行物２記載発明のように、情報処理装置から入力されるパスワードが不揮発性記憶手段に登録されているパスワードと一致しないと判定された場合、前記不揮発性記憶手段に登録された情報を読み込まずに印刷データの印刷処理を実行することは当業者が容易になし得たことである。
　
　そして、本願発明の構成を採用することによる作用効果も、刊行物１記載発明及び刊行物２記載発明から当業者が予測できる範囲のものである。　
　
　したがって、本願発明は、刊行物１記載発明及び刊行物２記載発明に基づいて、当業者が容易に発明をすることができたものである。
　
第４．むすび
　以上のとおり、本願発明は、刊行物１記載発明及び刊行物２記載発明に基づいて、当業者が容易に発明をすることができたものであるから、特許法第２９条第２項の規定により特許を受けることができない。
　
　よって、結論のとおり審決する。